(57)【要約】【課題】  １種類の製品サイズのラインナップで、装着する部位の太さに適応するベルトの内径を容易に調節でき、かつ、容易に着脱できるベルト調節構造を提供する。【解決手段】  帯状のベルト３が湾曲して前記ベルト３の第一側３０の端部に設けた留め具４と、前記留め具４に前記ベルト３の第二側３２が挿通し環状に構成されたベルト３の内径を調節し保持するウェアラブル機器１におけるベルト調節構造であって、前記ベルト３の第二側３２に複数設けた調節孔３１と、前記留め具４の両側面に設けた調節ボタン４０と、前記留め具４の内部に前記調節ボタン４０の押下と連動し上下移動すると共に前記調節孔３１に挿通する部位に設けた調節突起４１と前記調節突起４１を前記調節孔３１に挿通する方向に押し上げるばね部材４４と、を有する。【選択図】    図６
2016097272.tif 000002
【特許請求の範囲】
【請求項１】
帯状のベルトが湾曲して前記ベルトの第一側の端部に設けた留め具と、前記留め具に前記ベルトの第二側が挿通し環状に構成されたベルトの内径を調節し保持するウェアラブル機器におけるベルト調節構造であって、
前記ベルトの第二側の表面に複数設けた調節孔と、
前記留め具の両側面に設けた調節ボタンと、
前記留め具の内部に前記調節ボタンの押下と連動し上下移動すると共に前記調節孔に挿通する部位に設けた調節突起と、
前記調節突起を前記調節孔に挿通する方向に押し上げるばね部材と、を有し、
前記ベルトの内径を容易に調節し、かつ容易に着脱することを特徴とするベルト調節構造。
【発明の詳細な説明】
【技術分野】
【０００１】
本発明は、ベルト調節構造に関する。
【背景技術】
【０００２】
従来、腕時計やウェアラブル機器は、表示部等を備えた本体と、この本体に接続されたベルト部とを備えており、ベルト部は、金属や皮革、合成樹脂等からなり、機器を手首に装着すように構成されているのが一般的である（例えば、特許文献１）。
【０００３】
しかしながら、特許文献１に記載された装着型機器のベルト調節構造は、尾錠にもう片方のベルトを入れる工程が面倒であり、また調節孔に調節ピンを入れた後ではベルトの内径を調節できないといった利便性に問題がある。
【０００４】
また、意匠上予め環状になっている装着型機器は、購入後にベルトの内径を調節できないため、手首の太さに応じたベルトの内径をもつ製品サイズのバリエーションを提供する必要があり、その分の製造コストがかさむという問題がある。
【先行技術文献】
【特許文献】
【０００５】
【特許文献１】特開２００７−１４３８１２号公報
【発明の概要】
【発明が解決しようとする課題】
【０００６】
そこで、本発明の課題は、１種類の製品サイズのラインナップで、装着する部位の太さに適応するベルトの内径を容易に調節でき、かつ、容易に着脱できるベルト調節構造を提供することにある。
【課題を解決するための手段】
【０００７】
上記課題を解決するために、本発明は、帯状のベルトが湾曲して前記ベルトの第一側の端部に設けた留め具と、前記留め具に前記ベルトの第二側が挿通し環状に構成されたベルトの内径を調節し保持するウェアラブル機器におけるベルト調節構造であって、前記ベルトの第二側の表面に複数設けた調節孔と、前記留め具の両側面に設けた調節ボタンと、前記留め具の内部に前記調節ボタンの押下と連動し上下移動すると共に前記調節孔に挿通する部位に設けた調節突起と、前記調節突起を前記調節孔に挿通する方向に押し上げるばね部材と、を有し、前記ベルトの内径を容易に調節し、かつ容易に着脱することを特徴とする。
【発明の効果】
【０００８】
本発明によれば、１種類の製品サイズのラインナップで、装着する部位の太さに適応するベルトの内径を容易に調節でき、かつ、容易に着脱できるベルト調節構造を提供できる。
【図面の簡単な説明】
【０００９】
【図１】本発明の実施の一形態に係るウェアラブル機器を示す斜視図
【図２】本発明の実施の一形態に係るウェアラブル機器を示す側面図
【図３】調節ボタンを押していない時の調節孔と調節突起との挿通状態を示す図２のＡ−Ａ線断面図
【図４】調節ボタンを押している時の調節孔と調節突起との挿通状態を示す図２のＡ−Ａ線断面図
【図５】本発明の実施の一形態に係るウェアラブル機器を示す底面図
【図６】ベルトの内径を保持している状態を示す図５のＢ−Ｂ線断面図
【図７】ベルトの内径を調節している状態を示す図５のＢ−Ｂ線断面図
【図８】ベルトの内径を最大にした時の状態を示す斜視図
【発明を実施するための形態】
【００１０】
以下に、ウェアラブル機器を例に、図面を参照しながら、本発明の実施の一形態について説明する。ただし、以下の説明は、あくまでも本発明の例示にすぎず、以下の記載によって発明の技術的範囲が限定されるものではない。
【００１１】
図１は、本発明の実施の一形態に係るウェアラブル機器１を示す斜視図である。ウェアラブル機器１は本体２と、ベルト３と、留め具４により構成されている。ベルト３は端部に留め具４を有する第一のベルト３０と、表面に調節孔３１を複数設けた第二のベルト３２から成る。留め具４は両側面に調節ボタン４０を設け、第二のベルト３２が挿通する。なお、説明の簡略化のためベルト３を第一のベルト３０と第二のベルト３２にわけているが、一体で形成しても良い。１種類の製品サイズのラインナップで、装着する部位の太さに適応するベルトの内径を容易に調節でき、かつ、容易に着脱できるベルト調節構造について、以下で説明する。
【００１２】
図２は、本発明の実施の一形態に係るウェアラブル機器１を示す側面図である。留め具４に第二のベルト３２を挿通し環状に構成された状態を示している。調節ボタン４０の押下によりベルトの内径を調節し保持する構造を次の図３および図４で説明する。
【００１３】
図３は、調節ボタン４０を押していない時の調節孔３１と調節突起４１との挿通状態を示す図２のＡ−Ａ線断面図である。調節突起４１の土台となる部位の両側面は斜面４２になっており、調節ボタン４０の前述の斜面４２と接する部位も同様に斜面４３となっている。調節突起４１の下部には、調節突起４１を調節孔３１に挿通する方向に押し上げるばね部材４４を有する。調節ボタン４０を押していない時、ばね部材４４には調節突起４１を調節孔３１に挿通する方向に押し上げる力が作用しており、調節突起４１は調節孔３１に挿通している。この状態では、ベルトの内径を保持している。
【００１４】
図４は、調節ボタン４０を押している時の調節孔３１と調節突起４１との挿通状態を示す図２のＡ−Ａ線断面図である。調節ボタン４０を押している時、調節突起４１には斜面４２と接する斜面４３によって下方に押し下げる力が作用しており、同時にばね部材４４は圧縮され、調節突起４１は調節孔３１に挿通していない。この状態では、ベルトの内径を調節できる。
【００１５】
図５は、本発明の実施の一形態に係るウェアラブル機器１を示す底面図である。留め具４に第二のベルト３２を挿通し環状に構成された状態を示している。第一のベルト３０または第二のベルト３２をＣ方向に動かすことによりベルトの内径を調節し保持する構造を次の図６および図７で説明する。
【００１６】
図６は、ベルトの内径を保持している状態を示す図５のＢ−Ｂ線断面図である。調節突起４１のＣ方向の側面は直立面４５になっており、直立面４５の反対側の側面は斜面４６となっている。調節突起４１の下部には、調節突起４１を調節孔３１に挿通する方向に押し上げるばね部材４４を有する。調節ボタン４０を押していない時、ばね部材４４には調節突起４１を調節孔３１に挿通する方向に押し上げる力が作用しており、調節突起４１は調節孔３１に挿通している。
【００１７】
図７は、ベルトの内径を調節している状態を示す図５のＢ−Ｂ線断面図である。図６の状態から第二のベルト３２をＣ方向に引っ張ると、調節突起４１には斜面４６と接する直立面３３によって下方に押し下げる力が作用しており、同時にばね部材４４は圧縮され、調節突起４１は調節孔３１に挿通していない。
ベルトの内径を狭める場合は、第二のベルト３２をＣ方向に動かして調節する。この反対にベルトの内径を広げる場合は、前述の図４で説明した様に調節ボタン４０を押しながら第一のベルト３０をＣ方向に動かして調節する。
【００１８】
図８は、ベルトの内径を最大にした時の状態を示す斜視図である。第二のベルト３２の先端に第二のベルト３２と一体に形成されたストッパー３４を設け、ストッパー３４は留め具４の側面４７に引っ掛かる形状となっている。調節ボタン４０を押しながら第一のベルト３０をＣ方向に動かし、ベルト３の内径を最大にした時に第二のベルト３２が留め具４から抜けず、ウェアラブル機器１が環状状態を保持している。
【００１９】
以上説明した通り、本発明によれば、１種類の製品サイズのラインナップで、装着する部位の太さに適応するベルトの内径を容易に調節でき、かつ、容易に着脱できるベルト調節構造を提供できる。
【００２０】
なお、実施の一形態においては、ウェアラブル機器を例に説明したが、本発明の構造は、装着型機器一般に適用可能であり、ウェアラブル機器以外に、特に着脱性を求められる機器にも適している。
【符号の説明】
【００２１】
１…ウェアラブル機器、２…本体、３…ベルト、３０…第一のベルト、３１…調節孔、３２…第二のベルト、３３…直立面、３４…ストッパー、４…留め具、４０…調節ボタン、４１…調節突起、４２…斜面、４３…斜面、４４…ばね部材、４５…直立面、４６…斜面、４７…側面
【図１】
2016097272.tif 000003
【図２】
2016097272.tif 000004
【図３】
2016097272.tif 000005
【図４】
2016097272.tif 000006
【図５】
2016097272.tif 000007
【図６】
2016097272.tif 000008
【図７】
2016097272.tif 000009
【図８】
2016097272.tif 000010